(57)【要約】【課題】  音楽データの再生開始まで時間を要してしまう状態が多発してしまうことを防止する。【解決手段】  ＵＳＢドライバ２にＵＳＢデバイス１が装着されたときに、装着デバイスと作成済みデバイスとが同一のＵＳＢデバイス１であるか否かが判定され（Ｓ１１）、同一のＵＳＢデバイス１でないと判定されたときに（Ｓ１３：ＮＯ）、装着デバイスについての音楽データリスト情報が作成される（Ｓ１５）。これにより、ＵＳＢデバイス１が再生装置に装着される度に音楽データリスト情報が作成されてしまうことを回避できる。【選択図】図３
2009198978.tif 000002
【特許請求の範囲】
【請求項１】
記録媒体に記憶されているデータを再生するための再生装置であって、
記録媒体に記憶されているデータについてのデータリスト情報が記憶される記憶手段と、
記録媒体が装着される装着手段と、
前記装着手段に記録媒体が装着されたときに、現在、装着されている記録媒体と、前記記憶手段に記憶されている前記データリスト情報の作成元となった記録媒体とが同一の記録媒体であるか否かを判定する判定手段と、
前記判定手段により同一の記録媒体でないと判定されたときに、現在、前記装着手段に装着されている記録媒体についての前記データリスト情報を作成する第１リスト作成手段と
を備えることを特徴とする再生装置。
【請求項２】
ユーザからの指示に基づいて、現在、前記装着手段に装着されている記録媒体についての前記データリスト情報を作成する第２リスト作成手段を備えることを特徴とする請求項１に記載の再生装置。
【請求項３】
前記第２リスト作成手段は、少なくとも前記判定手段により同一の記録媒体であると判定されたときに作動可能な状態となることを特徴とする請求項２に記載の再生装置。
【請求項４】
前記データリスト情報を表示する表示手段と、
前記表示手段により表示された前記データリスト情報の中から、再生すべきデータとしてユーザにより選択されたデータが、現在、前記装着手段に装着されている記録媒体に記憶されていないときに、その旨を報知する報知手段と
を備えることを特徴とする請求項１ないし３のいずれか１つに記載の再生装置。
【発明の詳細な説明】
【技術分野】
【０００１】
本発明は、記録媒体に記憶されているデータを再生するための再生装置に関するもので、特に、車両用オーディオ装置に適用して有効である。
【背景技術】
【０００２】
近年の車両用オーディオ装置では、ＵＳＢ（Universal Serial Bus）規格に対応した半導体メモリ等の記録媒体に記憶されている音楽データを再生することができる。つまり、車両用オーディオ装置に装着された記録媒体に記録されている音楽データの中から、特定の音楽データが選択されると、その選択された音楽データが抽出されて再生される。
【０００３】
しかし、記録媒体の中に複数の音楽データが記録されている場合には、記録媒体に記録されている音楽データの中から特定の音楽データを抽出する作業が困難となるので、例えば、特許文献１に記載の発明では、記録媒体に記憶されているデータについてのリスト情報を作成し、この作成されたリスト情報に基づいて再生処理を実行している。
【特許文献１】特開２００４−２９５９２８号公報
【発明の開示】
【発明が解決しようとする課題】
【０００４】
ところで、特許文献１に記載の発明では、既に作成されたリスト情報に基づいて再生処理を実行するので、作成済みのリスト情報の作成元となった記録媒体（以下、作成元媒体という。）と同一の記録媒体が再び装着された場合には、その作成済みのリスト情報を用いて再生処理を実行することができるが、作成元媒体と異なる記録媒体が装着された場合には、当然ながらその作成済みのリスト情報を用いて再生処理を実行することはできない。
【０００５】
この問題に対しては、記録媒体が装置に装着される度にリスト情報を作成すれば解決することができるものの、記録媒体に記録されているデータ数が増加すると、これに応じてリスト情報の作成に要する時間が増大するので、記録媒体が装置に装着される度にリスト情報を作成する構成とすると、記録媒体を装着しても直ぐにデータを再生することができず、データの再生開始まで時間を要してしまう状態が多発してしまう。
【０００６】
本発明は、上記点に鑑み、データの再生開始まで時間を要してしまう状態が多発してしまうことを防止することを目的とする。
【課題を解決するための手段】
【０００７】
本発明は、上記目的を達成するために、請求項１に記載の発明では、記録媒体に記憶されているデータを再生するための再生装置であって、記録媒体に記憶されているデータについてのデータリスト情報が記憶される記憶手段（５）と、記録媒体が装着される装着手段（２）と、装着手段（２）に記録媒体（１）が装着されたときに、現在、装着されている記録媒体と、記憶手段（５）に記憶されているデータリスト情報の作成元となった記録媒体とが同一の記録媒体であるか否かを判定する判定手段（Ｓ１）と、判定手段（Ｓ１）により同一の記録媒体でないと判定されたときに、現在、装着手段（２）に装着されている記録媒体についてのデータリスト情報を作成する第１リスト作成手段（Ｓ１５）とを備えることを特徴とする。
【０００８】
これにより、請求項１に記載の発明では、装着手段（２）に記録媒体（１）が装着されたときに、現在装着されている記録媒体と作成元媒体とが同一の記録媒体であるか否かが判定され、同一の記録媒体でないと判定されたときに、現在装着されている記録媒体についてのデータリスト情報が作成されるので、記録媒体が装置に装着される度にデータリスト情報が作成されてしまうことを回避できる。
【０００９】
したがって、データの再生開始まで時間を要してしまう状態が多発してしまうことを防止できるので、データの再生が開始されるまでにユーザが長時間待たされてしまうことを防止でき、再生装置の使い勝手を向上させることができる。
【００１０】
ところで、特許文献１に記載の発明のように、ＣＤ−ＲやＣＤ−ＲＯＭ等の記憶データの編集をすることができない記録媒体を前提とした発明である場合には、装着された記録媒体が作成元媒体と同一であれば、作成済みデータリスト情報をそのまま使用しても問題ないが、装着された記録媒体が作成元媒体と同一であっても、記録媒体に記憶されているデータの内容を編集することができる記録媒体においては、作成済みリスト情報をそのまま使用することができない場合がある。
【００１１】
そこで、請求項２に記載の発明では、ユーザからの指示に基づいて、現在、装着手段（２）に装着されている記録媒体についてのデータリスト情報を作成する第２リスト作成手段（Ｓ３５）を備えることを特徴としている。
【００１２】
これにより、請求項２に記載の発明では、仮に、判定手段（Ｓ１）により同一の記録媒体であると判定された場合であっても、ユーザがデータリスト情報の作成を指示すれば、データリスト情報が作成される。
【００１３】
このとき、記録媒体に記録されているデータが編集されているか否かはユーザが熟知しており、無用なデータリスト情報の作成が実行される可能性は低いので、データの再生開始まで時間を要してしまう状態が多発してしまうことを防止できる。
【００１４】
なお、請求項３に記載の発明では、第２リスト作成手段（Ｓ３５）は、少なくとも判定手段（Ｓ１）により同一の記録媒体であると判定されたときに作動可能な状態となることを特徴とするものである。
【００１５】
また、請求項４に記載の発明では、データリスト情報を表示する表示手段（８）と、表示手段（８）により表示されたデータリスト情報の中から、再生すべきデータとしてユーザにより選択されたデータが、現在、装着手段（２）に装着されている記録媒体に記憶されていないときに、その旨を報知する報知手段（Ｓ４５）とを備えることを特徴とするものである。
【００１６】
因みに、上記各手段等の括弧内の符号は、後述する実施形態に記載の具体的手段等との対応関係を示す一例であり、本発明は上記各手段等の括弧内の符号に示された具体的手段に限定されるものではない。
【発明を実施するための最良の形態】
【００１７】
本実施形態は、本発明に係る再生装置を車載用音楽再生装置（車載オーディ装置）に適用したものであり、以下に本発明の実施形態を図面と共に説明する。
１．図面の説明
図１は車載用音楽再生装置（車載オーディ装置）のブロック図であり、図２はメイン処理を示すフローチャートであり、図３はデバイス初期化処理を示すフローチャートであり、図４はリスト再構築処理を示すフローチャートであり、図５はユーザ操作受信処理を示すフローチャートであり、図６は再生処理を示すフローチャートであり、図７〜図９は表示装置８に表示される画像の一例を示す図である。
【００１８】
２．本実施形態に係る車載用音楽再生装置の概要（図１参照）
本実施形態に係る車載用音楽再生装置（図１の二点差線で囲まれたもの）は、フラッシュメモリ等の不揮発性半導体記憶装置にて構成されたＵＳＢメモリやＳＤメモリ（登録商標）等の記録媒体  （以下、ＵＳＢデバイス１という。）に記憶されている音楽データを再生するための車載用再生装置である。
【００１９】
図１中、ＵＳＢドライバ２は、ＵＳＢデバイス１が着脱可能に装着されるＵＳＢ（Universal Serial Bus)規格の装着手段（インタフェース）であり、ＵＳＢオーディオ制御部３は、ＵＳＢデバイス１、再生部４、記憶装置５、メモリ６、及び表示制御部７等の車載用音楽再生装置を構成する各機器を統合的に制御する制御手段である。
【００２０】
すなわち、ＵＳＢオーディオ制御部３は、ＣＰＵ、ＲＯＭ及びＲＡＭ等からなる周知のマイクロコンピュータにて構成された制御手段であり、記憶装置５は磁気記憶装置（ＨＤＤ）等の電力供給が停止した状態でも記憶されたデータを保持することが可能な不揮発性記憶手段である。
【００２１】
また、メモリ６は半導体記憶装置等の電力が供給されているときのみデータを保持することができる不揮発性記憶手段であり、再生部４は音声を出力するためのスピーカ９を駆動する音声駆動手段であり、表示制御部７は画像情報を表示するための表示装置８を駆動するための画像駆動手段である。
【００２２】
なお、本実施形態に係る表示装置８は、ユーザが表示装置８に触れたか否か、及び触れた位置を検出することが可能ないわゆるタッチパネル機能を有しており、このタッチパネル機能を通じてユーザから指示を受け付けることができる。つまり、本実施形態では、表示装置８は、ユーザにより操作される操作部も兼ねている。
【００２３】
３．本実施形態に係る車載用音楽再生装置の特徴的作動
３．１．概略作動
ＵＳＢドライバ２にＵＳＢデバイス１が装着されると、ＵＳＢオーディオ制御部３は、先ず、現在、装着されているＵＳＢデバイス１（以下、装着デバイスという。）と、既に記憶装置５に記憶されている音楽データリスト情報の作成元となったＵＳＢデバイス１（以下、作成済みデバイスという。）とが同一のＵＳＢデバイス１であるか否かを判定する。
【００２４】
なお、音楽データリスト情報とは、ＵＳＢデバイス１に記憶されている音楽データについての付加情報を、その項目別にリスト状に配列した電子情報をいい、付加情報とは、例えば、曲名、アーティスト名（実演家の名前）、その曲名が収録されているアルバム名、その曲名が属する音楽ジャンル等をいう。
【００２５】
また、装着デバイスと作成済みデバイスとが同一であるか否かの判定は、ＵＳＢデバイス１それぞれに設定されている固有のデバイスＩＤ（例えば、シリアル番号等）に基づいて判定され、音楽データリスト情報が記憶される際には、その音楽データリスト情報の作成元となったＵＳＢデバイス１のデバイスＩＤが音楽データリスト情報の付加情報として記憶される。
【００２６】
そして、同一のＵＳＢデバイス１でないと判定されたときには、ＵＳＢオーディオ制御部３は、現在、ＵＳＢドライバ２に装着されているＵＳＢデバイス１について音楽データリスト情報を作成した後、その作成された音楽データリスト情報を記憶装置５又はメモリ６に記憶するとともに、音楽データリスト情報を表示装置８に表示する（図７参照）。
【００２７】
一方、同一のＵＳＢデバイス１であると判定されたときには、ＵＳＢオーディオ制御部３は、既に記憶装置５に記憶されている音楽データリスト情報を表示装置８に表示する（図７参照）。
【００２８】
なお、音楽データリスト情報がメモリ６に記憶されたときには、車載用音楽再生装置（システム）が停止する際に、自動的に記憶装置５に記憶（バックアップ）される。
また、表示装置８に表示されている音楽データリスト情報に基づいて、いずれかの曲名等がユーザにより選択されると、その選択された曲名等に対応する音楽データが再生される。
【００２９】
なお、リスト再構築ボタンＢ１（図７参照）がユーザにより選択されると、装着デバイスと作成済みデバイスとが同一のＵＳＢデバイス１であるか否かを問わず、現在装着されているＵＳＢデバイス１についての音楽データリスト情報が作成された後、その成された音楽データリスト情報が、記憶装置５又はメモリ６に記憶されるとともに表示装置８に表示される。
【００３０】
３．２．詳細作動
以下に説明する処理は、ＵＳＢオーディオ制御部３にて実行され、ＵＳＢオーディオ制御部３は、自身のＲＯＭに予め記憶されているプログラムに従って以下の処理を実行する。
【００３１】
３．２．１．メイン処理（図２参照）
図２に示すメイン処理は、ＵＳＢデバイス１がＵＳＢドライバ２に装着された時に起動され、このメイン処理が起動されると、先ず、デバイス初期化処理が実行される（Ｓ１）。なお、デバイス初期化処理の詳細は、後述する。
【００３２】
次に、ＵＳＢデバイス１が取り外されたか（切断されたか）否か、又は車載用音楽再生装置の起動スイッチ（図示せず。）が遮断されたか否かが判定される（Ｓ３）。
このとき、ＵＳＢデバイス１が取り外されたと判定された場合（Ｓ３：ＹＥＳ）、又は車載用音楽再生装置（システム）の起動スイッチが遮断されたと判定された場合には（Ｓ３：ＹＥＳ）、デバイス初期化処理（Ｓ１）にて作成された音楽データリスト情報、又はユーザの指示により再構築された音楽データリスト情報が記憶装置５に記憶（バックアップ）された後（Ｓ７）、本処理が終了する。
【００３３】
一方、ＵＳＢデバイス１が取り外されていないと判定された場合（Ｓ３：ＮＯ）、又は車載用音楽再生装置（システム）の起動スイッチが遮断されていないと判定された場合には（Ｓ３：ＮＯ）、ユーザ操作受信処理（詳細は後述する。）が実行された後（Ｓ５）、再び、Ｓ３が実行される。
【００３４】
３．２．２．デバイス初期化処理の詳細（図３参照）
ＵＳＢドライバ２にＵＳＢデバイス１が装着されると、先ず、現在、装着されているＵＳＢデバイス１（装着デバイス）と、既に記憶装置５に記憶されている音楽データリスト情報の作成元となったＵＳＢデバイス１（作成済みデバイス）とが同一のＵＳＢデバイス１であるか否かのチェックが開始されて（Ｓ１１）、装着デバイスと一致する作成済みデバイスが記憶されているか否かがデバイスＩＤ等に基づいて判定される（Ｓ１３）。
【００３５】
そして、装着デバイスと一致する作成済みデバイスが記憶されていないと判定された場合には（Ｓ１３：ＹＥＳ）、装着デバイスについて音楽データリスト情報を作成するための処理（リスト再構築処理）実行された後（Ｓ１５）、その再構築された音楽データリスト情報が表示装置８に表示され（図７参照）、本処理が終了する。
【００３６】
一方、装着デバイスと一致する作成済みデバイスが記憶されていると判定された場合には（Ｓ１３：ＮＯ）、記憶装置５に記憶（バックアップ）されている音楽データリスト情報が取得されて表示装置８に表示された後（Ｓ１７）、本処理が終了する。
【００３７】
なお、リスト再構築処理（Ｓ１５）は、図４に示すフローに従って実行される。
すなわち、リスト再構築処理が起動されると、先ず、その旨の表示（図８参照）が表示装置８に表示される（Ｓ２１）。次に、ＵＳＢデバイス１に記憶されているデータの中からＭＰ３やＷＭＡ等の音楽データ（オーディオファイル）が検索されるとともに（Ｓ２３）、発見された音楽データから楽曲情報が取得される（Ｓ２５）。
【００３８】
次に、Ｓ２３及びＳ２５で取得された情報が、曲名やアーティスト名等の項目別にリスト状に並び替えられ、音楽データリスト情報が構築される（Ｓ２７）。
３．２．３．ユーザ操作受信処理（図５参照）
ユーザ操作受信処理が（Ｓ５）が起動されると、先ず、ＵＳＢメニュー画面（図７参照）が表示装置８に表示され（Ｓ３１）、ユーザにより音楽データリスト情報の再構築指令がされたか否か、つまりリスト再構築ボタンＢ１がユーザにより選択されたか否かが判定される（Ｓ３３）。
【００３９】
そして、リスト再構築ボタンＢ１が選択されたと判定された場合には（Ｓ３３：ＹＥＳ）、リスト再構築処理（図４）が実行された後（Ｓ３５）、本処理が終了し、一方、リスト再構築ボタンＢ１が選択されていないと判定された場合には（Ｓ３３：ＮＯ）、表示装置８に表示されている音楽データリスト情報に基づいて、いずれかの曲名等がユーザにより選択されたか否かが判定される（Ｓ３７）。
【００４０】
このとき、いずれかの曲名等がユーザにより選択されたと判定された場合には（Ｓ３７：ＹＥＳ）、その選択された曲名等に対応する音楽データの再生処理が開始された後（Ｓ３９）、本処理が終了し、一方、いずれかの曲名等がユーザにより選択されていないと判定された場合には（Ｓ３７：ＮＯ）、その時点で本処理が終了する。
【００４１】
なお、音楽データの再生処理（Ｓ３９）は、図６に示すフローチャートに従って実行される。
すなわち、先ず、ユーザにより選択された曲名等に対応する音楽データが装着デバイスに記憶されているか否かが判定され（Ｓ４１）、記憶されている（存在している）と判定された場合には（Ｓ４１：ＹＥＳ）、その選択された曲名等に対応する音楽データの再生が開始された後（Ｓ４３）、本制御が終了する。
【００４２】
一方、記憶されていないと判定された場合には（Ｓ４１：ＮＯ）、その旨の表示（図９参照）が表示装置８にされた後、本制御が終了する。
４．本実施形態に係る車載用音楽再生装置の特徴
本実施形態では、ＵＳＢドライバ２にＵＳＢデバイス１が装着されたときに、装着デバイスと作成済みデバイスとが同一のＵＳＢデバイス１であるか否かが判定され（Ｓ１１）、同一のＵＳＢデバイス１でないと判定されたときに（Ｓ１３：ＮＯ）、装着デバイスについての音楽データリスト情報が作成されるので（Ｓ１５）、ＵＳＢデバイス１が再生装置に装着される度に音楽データリスト情報が作成されてしまうことを回避できる。
【００４３】
したがって、音楽データの再生開始まで時間を要してしまう状態が多発してしまうことを防止できるので、音楽データの再生が開始されるまでにユーザが長時間待たされてしまうことを防止でき、再生装置の使い勝手を向上させることができる。
【００４４】
ところで、特許文献１に記載の発明のように、ＣＤ−ＲやＣＤ−ＲＯＭ等の記憶データの編集をすることができないＵＳＢデバイス１を前提とした発明である場合には、装着されたＵＳＢデバイス１が作成元媒体と同一であれば、作成済み音楽データリスト情報をそのまま使用しても問題ないが、装着されたＵＳＢデバイス１が作成元媒体と同一であっても、ＵＳＢデバイス１に記憶されているデータの内容を編集することができるＵＳＢデバイス１においては、作成済みリスト情報をそのまま使用することができない場合がある。
【００４５】
そこで、本実施形態では、ユーザからの指示に基づいて、現在、ＵＳＢドライバ２に装着されているＵＳＢデバイス１についての音楽データリスト情報を作成するので（Ｓ３３）、仮に、Ｓ１３にて同一のＵＳＢデバイス１であると判定された場合であっても、ユーザが音楽データリスト情報の作成を指示すれば、音楽データリスト情報が作成される。
【００４６】
このとき、ＵＳＢデバイス１に記録されている音楽データが編集されているか否かはユーザが熟知しており、無用な音楽データリスト情報の作成が実行される可能性は低いので、データの再生開始まで時間を要してしまう状態が多発してしまうことを防止できる。
【００４７】
また、本実施形態では、表示装置８により表示された音楽データリスト情報の中から、再生すべきデータとしてユーザにより選択されたデータが、現在、ＵＳＢドライバ２に装着されているＵＳＢデバイス１に記憶されていないときに、その旨を報知するので（Ｓ４５）、再生装置の使い勝手を向上させることができる。
【００４８】
５．発明特定事項と実施形態との対応関係
本実施形態では、ＵＳＢデバイス１が特許請求の範囲に記載された記録媒体に相当し、記憶装置５が特許請求の範囲に記載された記憶手段に相当し、ＵＳＢドライバ２が特許請求の範囲に記載された装着手段に相当し、Ｓ１が特許請求の範囲に記載された判定手段に相当し、Ｓ１５が特許請求の範囲に記載された第１リスト作成手段に相当し、Ｓ３５が特許請求の範囲に記載された第２リスト作成手段に相当し、表示装置８が特許請求の範囲に記載された表示手段に相当し、Ｓ４５が特許請求の範囲に記載された報知手段に相当する。
【００４９】
（その他の実施形態）
上述の実施形態では、車載用音楽再生装置（車載オーディ装置）に本発明を適用したが、本発明の適用はこれに限定されるものではない。
【００５０】
また、上述の実施形態では、再生すべきデータが音楽データであったが、本発明はこれに限定されるものではない。
また、上述の実施形態では、記録媒体としてＵＳＢデバイス１を用いたが、本発明はこれに限定されるものではない。
【００５１】
また、本発明は、特許請求の範囲に記載された発明の趣旨に合致するものであればよく、上述の実施形態に限定されるものではない。
【図面の簡単な説明】
【００５２】
【図１】車載用音楽再生装置（車載オーディ装置）のブロック図である。
【図２】メイン処理を示すフローチャートである。
【図３】デバイス初期化処理を示すフローチャートである。
【図４】リスト再構築処理を示すフローチャートである。
【図５】ユーザ操作受信処理を示すフローチャートである。
【図６】再生処理を示すフローチャートである。
【図７】表示装置８に表示される画像の一例を示す図である。
【図８】表示装置８に表示される画像の一例を示す図である。
【図９】表示装置８に表示される画像の一例を示す図である。
【符号の説明】
【００５３】
１…ＵＳＢデバイス、２…ＵＳＢドライバ、３…ＵＳＢオーディオ制御部、
４…再生部、５…記憶装置、６…メモリ、７…表示制御部、８…表示装置、
９…スピーカ、Ｂ１…リスト再構築ボタン。
【図１】
2009198978.tif 000003
【図２】
2009198978.tif 000004
【図３】
2009198978.tif 000005
【図４】
2009198978.tif 000006
【図５】
2009198978.tif 000007
【図６】
2009198978.tif 000008
【図７】
2009198978.tif 000009
【図８】
2009198978.tif 000010
【図９】
2009198978.tif 000011